(57)【要約】【課題】無線伝送方式としてＭＩＭＯ方式を採用し、制御部と高周波部との２ピースで構成された映像伝送装置を提供する。【解決手段】無線伝送方式としてＭＩＭＯ（Multiple-Input  Multiple-Output）方式を採用し、送信制御部と送信高周波部との２ピースで構成された映像伝送装置であって、前記送信制御部は、複数の系統から入力された映像信号の符号化とデジタル変調を行い、前記映像信号を合成し、ＩＦバンド帯のデジタル変調波を出力する送信制御部であり、前記送信高周波部は、前記ＩＦバンド帯のデジタル変調波を系統毎に高周波帯域に変換し、電波を送信する送信高周波部であることを特徴とする。【選択図】図１
2017050614.tif 000002
【特許請求の範囲】
【請求項１】
無線伝送方式としてＭＩＭＯ（Multiple-Input  Multiple-Output）方式を採用し、送信制御部と送信高周波部との２ピースで構成された映像伝送装置であって、
前記送信制御部は、複数の系統から入力された映像信号の符号化とデジタル変調を行い、前記映像信号を合成し、ＩＦバンド帯のデジタル変調波を出力する送信制御部であり、
前記送信高周波部は、前記ＩＦバンド帯のデジタル変調波を系統毎に高周波帯域に変換し、電波を送信する送信高周波部であることを特徴とする映像伝送装置。
【請求項２】
無線伝送方式としてＭＩＭＯ（Multiple-Input  Multiple-Output）方式を採用し、受信高周波部と受信制御部との２ピースで構成された映像受信装置であって、
前記受信高周波部は、デジタル変調された複数系統の電波を受信し、ＩＦバンド帯域に変換する受信高周波部であり、
前記受信制御部は、
前記ＩＦバンド帯に変換された複数系統のデジタル変調波をデジタル復調し、映像符号化信号を出力する受信制御部であることを特徴とする映像伝送装置。
【請求項３】
請求項１記載の映像伝送装置であって、少なくとも前記送信制御部と前記送信高周波部は、1本のＩＦケーブルのみで接続されることを特徴とする映像送信装置。
【請求項４】
請求項１乃至請求項３のいずれかに記載の映像伝送装置であって、２×２以上のＭＩＭＯ伝送方式で映像伝送を行うことを特徴とする映像伝送装置。
【請求項５】
請求項３または請求項４に記載の映像伝送装置であって、前記送信制御部と前記送信高周波部は、互いの状態監視と制御情報を交換するために、データ通信を行うことを特徴とする映像伝送装置。
【請求項６】
請求項５に記載の映像伝送装置であって、前記送信制御部と前記送信高周波部は、各々で基準となる発振器を内蔵し、前記送信高周波部が内蔵する発振器で高周波帯にアップコンバートすることを特徴とする映像伝送装置。
【請求項７】
無線伝送方式としてＭＩＭＯ（Multiple-Input  Multiple-Output）方式を採用し、送信制御部と送信高周波部との２ピースで構成された映像伝送装置であって、
前記送信制御部は、複数の系統から入力された映像信号の符号化とデジタル変調を行い、前記映像信号を合成し、ＩＦバンド帯のデジタル変調波を出力する送信制御部であり、
前記送信高周波部は、前記ＩＦバンド帯のデジタル変調波を系統毎に高周波帯域に変換し、電波を送信する送信高周波部であり、
前記送信制御部および前記送信高周波部は、系統毎にＩＦ周波数を変更し、系統毎のＩＦ周波数を同一周波数の高周波へアップコンバートする際に、系統毎のＩＦ周波数に対応したＰＬＬ有し、系統毎のＩＦ周波数に対応する分周比を設定することを特徴とする映像伝送装置。
【発明の詳細な説明】
【技術分野】
【０００１】
本発明は、映像データの入出力とデジタル変復調を行う制御部と、デジタル変調された電波の送受信を行う高周波部との２ピースで構成され、放送用デジタル映像データの無線伝送を行う映像伝送装置に関する。
【背景技術】
【０００２】
テレビジョン放送の放送用素材をテレビ局本社へ伝送する方法として、素材（例えば、映像や音声）の無線伝送がある。近年、その伝送方式は、テレビジョン放送のデジタル化にあわせてアナログ伝送からデジタル伝送へ移行しつつあるため、デジタル無線伝送における技術向上は重要な課題となっている。
このようなデジタル無線伝送では、一般に、ＦＰＵ（Field  Pick-up  Unit）を用いた基地局などとの間の無線伝送を含むマイクロ受信基地局システムが利用されている。
【０００３】
特許文献１および２には、映像データの入出力とデジタル変復調を行う制御部と、デジタル変調された電波の送受信を行う高周波部との２ピースで構成されたＦＰＵが開示されている。
【先行技術文献】
【特許文献】
【０００４】
【特許文献１】特開２００５−２１０２９９号公報
【特許文献２】特開２００５−３１８０３０号公報
【発明の概要】
【発明が解決しようとする課題】
【０００５】
特許文献１および２のような２ピースで構成された従来のＦＰＵの場合、制御部と高周波部は離れた場所に設置され、ＩＦケーブルで接続されている。ＩＦケーブルには、ＩＦ周波数帯に変調された映像搬送用の変調波と、制御部と高周波部の制御監視情報用のデータ通信モデムの搬送波が周波数多重により重畳されている。
制御部では、制御部に内蔵される発振器によりベースバンドの変調波をＩＦ周波数帯に変換している。また、高周波部では、高周波部に内蔵される発振器により、ＩＦ周波数帯の変調波を高周波帯域に変換している。
【０００６】
一方、ハイビジョン（登録商標）のデジタル映像信号を低遅延かつ高い回線信頼性で無線伝送する新しい映像無線伝送システムの開発が注目されている。この新しい映像無線伝送システムでは、複数の送受信アンテナを用いて同一周波数上で複数のＯＦＤＭ（Orthogonal  Frequency  Division  Multiplexing：直交周波数分割多重）信号の伝送を行うＭＩＭＯ（Multiple-Input  Multiple-Output）−ＯＦＤＭ伝送方式を用いることが検討されている。
しかしながら、上記した２ピースで構成されたＦＰＵに、例えば、無線伝送方式として２×２のＭＩＭＯ方式を採用しようとした場合、制御部と高周波部が１本のＩＦケーブルで接続されているため、２系統の変調波をそのままＩＦケーブルに重畳することができないという問題があった。
【０００７】
本発明は、この様な状況に鑑みて為されたものであり、無線伝送方式としてＭＩＭＯ方式を採用し、制御部と高周波部との２ピースで構成された映像伝送装置を提供することを目的とする。
【０００８】
また、高周波部の基準周波数を制御部の基準周波数に同期させることができ、系統毎の周波数偏差をなくすことでＭＩＭＯ伝送の伝送品質を向上させることが可能な映像伝送装置を提供することを目的とする。
【課題を解決するための手段】
【０００９】
上記目的を達成するために、本発明に係る映像伝送装置は、無線伝送方式としてＭＩＭＯ（Multiple-Input  Multiple-Output）方式を採用し、送信制御部と送信高周波部との２ピースで構成された映像伝送装置であって、前記送信制御部は、複数の系統から入力された映像信号の符号化とデジタル変調を行い、前記映像信号を合成し、ＩＦバンド帯のデジタル変調波を出力する送信制御部であり、前記送信高周波部は、前記ＩＦバンド帯のデジタル変調波を系統毎に高周波帯域に変換し、電波を送信する送信高周波部であることを特徴とする。
【００１０】
また、上記目的を達成するために、本発明に係る映像伝送装置は、無線伝送方式としてＭＩＭＯ（Multiple-Input  Multiple-Output）方式を採用し、受信高周波部と受信制御部との２ピースで構成された映像受信装置であって、前記受信高周波部は、デジタル変調された複数系統の電波を受信し、ＩＦバンド帯域に変換する受信高周波部であり、前記受信制御部は、前記ＩＦバンド帯に変換された複数系統のデジタル変調波をデジタル復調し、映像符号化信号を出力する受信制御部であることを特徴とする。
【００１１】
また、上記目的を達成するために、本発明に係る映像伝送装置は、上記した映像伝送装置であって、少なくとも前記送信制御部と前記送信高周波部は、1本のＩＦケーブルのみで接続されることを特徴とする。
【００１２】
また、上記目的を達成するために、本発明に係る映像伝送装置は、上記した映像伝送装置であって、２×２以上のＭＩＭＯ伝送方式で映像伝送を行うことを特徴とする。
【００１３】
また、上記目的を達成するために、本発明に係る映像伝送装置は、上記した映像伝送装置であって、前記送信制御部と前記送信高周波部は、互いの状態監視と制御情報を交換するために、データ通信を行うことを特徴とする。
【００１４】
また、上記目的を達成するために、本発明に係る映像伝送装置は、上記した映像伝送装置であって、前記送信制御部と前記送信高周波部は、各々で基準となる発振器を内蔵し、前記送信高周波部が内蔵する発振器で高周波帯にアップコンバートすることを特徴とする。
【００１５】
また、上記目的を達成するために、本発明に係る映像伝送装置は、無線伝送方式としてＭＩＭＯ（Multiple-Input  Multiple-Output）方式を採用し、送信制御部と送信高周波部との２ピースで構成された映像伝送装置であって、前記送信制御部は、複数の系統から入力された映像信号の符号化とデジタル変調を行い、前記映像信号を合成し、ＩＦバンド帯のデジタル変調波を出力する送信制御部であり、前記送信高周波部は、前記ＩＦバンド帯のデジタル変調波を系統毎に高周波帯域に変換し、電波を送信する送信高周波部であり、前記送信制御部および前記送信高周波部は、系統毎にＩＦ周波数を変更し、系統毎のＩＦ周波数を同一周波数の高周波へアップコンバートする際に、系統毎のＩＦ周波数に対応したＰＬＬ有し、系統毎のＩＦ周波数に対応する分周比を設定することを特徴とする。
【発明の効果】
【００１６】
本発明によれば、無線伝送方式としてＭＩＭＯ方式を採用し、制御部と高周波部との２ピースで構成された映像伝送装置を提供することができる。
【図面の簡単な説明】
【００１７】
【図１】本発明の実施形態１に係る映像伝送装置の一例である映像送信装置の構成を示すブロック図である。
【図２】ＩＦ帯周波数シフトの一例を示す図である。
【図３】本発明の実施形態２に係る映像伝送装置の一例である映像送信装置の構成を示すブロック図である。
【発明を実施するための形態】
【００１８】
＜実施形態１＞
以下、本発明の実施形態１に係る映像伝送装置の一例である映像送信装置について、図１を参照して説明する。図１は、本発明の実施形態１に係る映像伝送装置の一例である映像送信装置の構成を示すブロック図である。図１は、例えば、放送用デジタル映像のデータ伝送を行うＦＰＵ（Field  Pick-up  Unit）の送信側の映像送信装置である。
【００１９】
本発明の実施形態１に係る映像送信装置は、送信制御部と送信高周波部との２ピースで構成される映像送信装置であって、系統毎にＩＦ周波数を変更し、系統毎のＩＦ周波数を同一周波数の高周波へアップコンバートする際に、系統毎のＩＦ周波数に対応したＰＬＬを用意し、系統毎のＩＦ周波数に対応する分周比を設定することにより、無線伝送方式としてＭＩＭＯ方式を採用し、制御部と高周波部との２ピースで構成された映像伝送装置を提供することができる。
【００２０】
［映像送信装置の制御構成］
本実施形態１の映像送信装置は、送信制御部１００と、送信高周波部２００との２ピースで構成され、送信制御部１００と送信高周波部２００とは１本のＩＦケーブルで接続されている。
【００２１】
送信制御部１００は、ＭＩＭＯ変調器１０１と、制御部１０２と、ミキサ１０３と、１３０ＭＨｚ帯バンドパスフィルタ１０４と、ミキサ１０５と、１９０ＭＨｚ帯バンドパスフィルタ１０６と、合成器１０７と、合成器１０８と、フィルタ１０９と、制御通信モデム１１０と、１６０ＭＨｚ発振器１１１とから構成される。
【００２２】
送信高周波部２００は、分配器２０１と、分配器２０２と、１３０ＭＨｚ帯バンドパスフィルタ２０３と、ミキサ２０５と、増幅器（１）２０６と、１９０ＭＨｚ帯バンドパスフィルタ２０７と、ミキサ２０９と、増幅器（２）２１０と、フィルタ２１１と、制御通信モデム２１２と、制御部２１３と、２．３ＧＨｚ帯ＰＬＬ（１）２１４Ａと、２．３ＧＨｚ帯ＰＬＬ（２）２１４Ｂと、１００ＭＨｚ発振器２１５とから構成される。
【００２３】
［映像送信装置の動作］
次に、本発明の実施形態１に係る映像送信装置の動作について、図１を参照して説明する。
送信制御部１００では、デジタル変調を行うＭＩＭＯ変調器１０１で生成された１系統目の３０ＭＨｚ帯の変調波は、１６０ＭＨｚ発振器１１１の信号とミキサ１０３で合成される。ミキサ１０３で１６０ＭＨｚの信号と合成され出力された３０ＭＨｚ帯の変調波は、図２に示すように、１６０ＭＨｚを中心に、−３０ＭＨｚされた１３０ＭＨｚと、＋３０ＭＨｚされた１９０ＭＨｚの変調波として出力される。ミキサ１０３で出力された変調波は、１３０ＭＨｚ帯のバンドパスフィルタ１０４でフィルタリングされ、１３０ＭＨｚの変調波のみが出力される。
【００２４】
デジタル変調を行うＭＩＭＯ変調器１０１で生成された２系統目の３０ＭＨｚ帯の変調波は、１６０ＭＨｚ発振器１１１の信号とミキサ１０５で合成される。ミキサ１０５で１６０ＭＨｚの信号と合成され出力された３０ＭＨｚ帯の変調波は、図２に示すように、１６０ＭＨｚを中心に、−３０ＭＨｚされた１３０ＭＨｚと、＋３０ＭＨｚされた１９０ＭＨｚの変調波として出力される。ミキサ１０５で出力された変調波は、１９０ＭＨｚ帯のバンドパスフィルタ１０６でフィルタリングされ、１９０ＭＨｚの変調波のみが出力される。
【００２５】
１３０ＭＨｚ帯バンドパスフィルタ１０４の出力と、１９０ＭＨｚ帯バンドパスフィルタ１０６の出力は、合成器１０７により合成される。
制御部１０２では、ＭＩＭＯ変調器１０１の設定および監視を行う。また、送信高周波部２００への周波数設定情報や送信高周波部２００の動作状況を、制御通信モデム１１０および制御通信モデム２１２を使用し、設定・監視データの交換を行っている。周波数設定情報や送信制御部１００の動作状況は、制御通信モデム１１０によりベースバンド帯域の変調波に変換され、フィルタ１０９を介して合成器１０８に入力される。
合成器１０８では、合成器１０７で合成された１３０ＭＨｚ帯の変調波と１９０ＭＨｚ帯の変調波とベースバンド帯域の変調波が合成され、1本のＩＦ信号として送信制御部１００から出力される。
【００２６】
また、送信高周波部２００では、送信制御部１００からのＩＦ信号を、分配器２０１によりフィルタ２１１と分配器２０２へ分配される。分配器２０２では、分配器２０１で分配されたＩＦ信号を１３０ＭＨｚ帯バンドパスフィルタ２０３と１９０ＭＨｚ帯バンドパスフィルタ２０７に分配する。
１３０ＭＨｚ帯バンドパスフィルタ２０３に入力されたＩＦ信号は、１３０ＭＨｚ帯の変調波のみが抽出され、ミキサ２０５に入力される。ミキサ２０５では、１３０ＭＨｚ帯の変調波と、２．３ＧＨｚ帯ＰＬＬ（１）２１４Ａで生成される信号と合成される。２．３ＧＨｚ帯ＰＬＬ（１）２１４Ａでは、１００ＭＨｚ発振器２１５を源信とし、制御部２１３から設定される分周比に基づき、ミキサ２０５からの出力が２．３ＧＨｚとなる信号を生成する。
ミキサ２０５から出力された信号は、増幅器（１）２０６で増幅され、図示していない送信アンテナを介して図示していない映像受信装置に向けて無線送信される。
１９０ＭＨｚ帯バンドパスフィルタ２０７に入力されたＩＦ信号は、１９０ＭＨｚ帯の変調波のみが抽出され、ミキサ２０９に入力される。ミキサ２０９では、１９０ＭＨｚ帯の変調波と、２．３ＧＨｚ帯ＰＬＬ（２）２１４Ｂで生成される信号と合成される。２．３ＧＨｚ帯ＰＬＬ（２）２１４Ｂでは、１００ＭＨｚ発振器２１５を源信とし、制御部２１３から設定される分周比に基づき、ミキサ２０９からの出力が２．３ＧＨｚとなる信号を生成する。
ミキサ２０９から出力された信号は、増幅器（２）２１０で増幅され、図示していない送信アンテナを介して図示していない映像受信装置に向けて無線送信される。
【００２７】
制御部２１３では、ミキサ２０５から出力される変調波とミキサ２０９から出力される変調波の中心周波数を、例えば２３００ＭＨｚとする場合、２．３ＧＨｚ帯ＰＬＬ（１）２１４Ａへの分周比を２３００ＭＨｚ−１３０ＭＨｚである２１７０ＭＨｚとなる分周比を設定し、２．３ＧＨｚ帯ＰＬＬ（２）２１４Ｂへの分周比を２３００ＭＨｚ−１９０ＭＨｚである２１１０ＭＨｚとなる分周比を設定する。
【００２８】
なお、上述した実施例では、映像伝送装置として映像送信装置を例にして説明したが、上記した動作とは逆の動作で復調処理を行うようにすることにより、映像受信装置にも適用することができる。
【００２９】
以上説明したように、本発明の実施形態１に係る映像伝送装置によれば、無線伝送方式としてＭＩＭＯ方式を採用し、制御部と高周波部との２ピースで構成された映像伝送装置を提供することができる。
【００３０】
＜実施形態２＞
以下、本発明の実施形態２に係る映像伝送装置の一例である映像送信装置について、図３を参照して説明する。図３は、本発明の実施形態２に係る映像伝送装置の一例である映像送信装置の構成を示すブロック図である。図３は、例えば、放送用デジタル映像のデータ伝送を行うＦＰＵ（Field  Pick-up  Unit）の送信側の映像送信装置である。なお、図３において、図１と同様の構成については、同一の参照番号を付している。
【００３１】
本発明の実施形態１で説明したＭＩＭＯ方式を採用した映像送信装置では、それぞれの送信系統の周波数のばらつきが大きいと伝送品質が劣化する。本発明の実施形態１では、系統毎にＩＦ周波数を変更し、系統毎のＩＦ周波数を同一周波数の高周波へアップコンバートする際に、系統毎のＩＦ周波数に対応したＰＬＬを用意し、系統毎のＩＦ周波数に対応する分周比を設定している。このため、ＰＬＬの源信となる基準発振器の精度を高くする必要があるが、経年変化、温度偏差による基準発振器の周波数誤差がＩＦ系統毎のＰＬＬの周波数偏差となり、アップコンバートした後の系統毎の変調波の中心周波数の誤差となって出力されてしまい、伝送品質を劣化させる。
【００３２】
そこで、本発明の実施形態２に係る映像送信装置では、送信制御部と送信高周波部に、それぞれの基準周波数を検出する周波数カウンタと、定期的に周波数カウンタの値を読み取るためのタイマを実装することで、基準周波数の検出を行い、周波数カウンタの情報を制御通信モデムのデータ通信により、送信制御部と送信高周波部で交換する。周波数カウンタの情報は、複数回のサンプリング情報をバッファリングし、送信制御部から送信高周波部へ転送する。送信高周波部では転送される同一回数分のサンプリングを行う。送信高周波部に実装されるタイマは、送信高周波部のサンプリング間隔が送信制御部のサンプリング間隔と同一になるように調整する。
送信制御部と送信高周波部のサンプリング間隔が同一となった時点から、送信高周波部の周波数カウンタバッファと送信制御部の周波数カウンタバッファの各要素の差分を算出し、周波数偏差を検出させ送信高周波部の基準周波数を調整することで、それぞれの基準周波数の偏差を最小限に低減させる。送信制御部と送信高周波部の基準周波数偏差を最小限にし、送信制御部の基準周波数により別々の周波数にアップコンバートされた複数系統のＩＦ周波数帯の変調波を高周波部で３０ＭＨｚ帯にダウンコンバートし、複数系統の変調波を同一の高周波ＰＬＬの信号によりアップコンバートする。
【００３３】
［映像送信装置の制御構成］
本実施形態２の映像送信装置は、送信制御部１０と、送信高周波部２０との２ピースで構成され、送信制御部１０と送信高周波部２０とは１本のＩＦケーブルで接続されている。
【００３４】
送信制御部１０は、ＭＩＭＯ変調器１０１と、制御部１０２と、ミキサ１０３と、１３０ＭＨｚ帯バンドパスフィルタ１０４と、ミキサ１０５と、１９０ＭＨｚ帯バンドパスフィルタ１０６と、合成器１０７と、合成器１０８と、フィルタ１０９と、制御通信モデム１１０と、１６０ＭＨｚ発振器１１１と、タイマ１１２と、メモリ１１３とから構成される。
【００３５】
送信高周波部２０は、分配器２０１と、分配器２０２と、１３０ＭＨｚ帯バンドパスフィルタ２０３と、ミキサ２０４と、ミキサ２０５と、増幅器（１）２０６と、１９０ＭＨｚ帯バンドパスフィルタ２０７と、ミキサ２０８と、ミキサ２０９と、増幅器（２）２１０と、フィルタ２１１と、制御通信モデム２１２と、制御部２１３と、２．３ＧＨｚ帯ＰＬＬ２１４と、１６０ＭＨｚ帯電圧可変発振器２１６と、周波数カウンタ２１７と、タイマ２１８と、メモリ２１９と、ＶＣＯ制御用ＤＡコンバータ２２０と、１００ＭＨｚ温度補正付発振器２２１とから構成される。
【００３６】
［映像送信装置の動作］
次に、本発明の実施形態２に係る映像送信装置の動作について、図３を参照して説明する。
送信制御部１０では、デジタル変調を行うＭＩＭＯ変調器１０１で生成された１系統目の３０ＭＨｚ帯の変調波は、１６０ＭＨｚ発振器１１１の信号とミキサ１０３で合成される。ミキサ１０３で１６０ＭＨｚの信号と合成され出力される３０ＭＨｚ帯の変調波は、図２に示すように、１６０ＭＨｚを中心に、−３０ＭＨｚされた１３０ＭＨｚと、＋３０ＭＨｚされた１９０ＭＨｚの変調波として出力される。ミキサ１０３で出力された変調波は、１３０ＭＨｚ帯のバンドパスフィルタ１０４でフィルタリングされ、１３０ＭＨｚの変調波のみが出力される。
【００３７】
デジタル変調を行うＭＩＭＯ変調器１０１で生成された２系統目の３０ＭＨｚ帯の変調波は、１６０ＭＨｚ発振器１１１の信号とミキサ１０５で合成される。ミキサ１０５で１６０ＭＨｚの信号と合成され出力された３０ＭＨｚ帯の変調波は、図２に示すように、１６０ＭＨｚを中心に、−３０ＭＨｚされた１３０ＭＨｚと、＋３０ＭＨｚされた１９０ＭＨｚの変調波として出力される。ミキサ１０５で出力された変調波は、１９０ＭＨｚ帯のバンドパスフィルタ１０６でフィルタリングされ、１９０ＭＨｚの変調波のみが出力される。
【００３８】
１３０ＭＨｚ帯バンドパスフィルタ１０４の出力と、１９０ＭＨｚ帯バンドパスフィルタ１０６の出力は、合成器１０７により合成される。
ＭＩＭＯ変調器１０１は、内部論理回路で周波数カウンタを構成し、入力される１６０ＭＨｚ発振器１１１の信号によりカウントアップを行う。制御部１０２では、ＭＩＭＯ変調器１０１の設定および監視を行う。また、タイマ１１２に対し、１００μｓ毎の割り込み信号を発生させる設定を行う。制御部１０２では、タイマ１１２の割り込み信号をトリガに、ＭＩＭＯ変調器１０１でカウントアップされている周波数カウンタを読み出し、メモリ１１３に保存する。
メモリ１１３の周波数カウンタを保存する領域は、１回毎に保存アドレスを更新するリングバッファ形式で、２００回分の周波数カウンタ値を取り込み終わった時点で、制御通信モデム１１０に、２００回分の周波数カウンタ値を転送する。
合成器１０８では、合成器１０７で合成された１３０ＭＨｚ帯の変調波と１９０ＭＨｚ帯の変調波とフィルタ１０９を通したベースバンド帯の制御通信モデム変調波が合成され、１本のＩＦ信号として送信制御部１０から出力される。
【００３９】
また、送信高周波部２０では、送信制御部１０からのＩＦ信号を、分配器２０１によりフィルタ２１１と分配器２０２へ分配される。分配器２０２では、分配器２０１で分配されたＩＦ信号を、１３０ＭＨｚ帯バンドパスフィルタ２０３と１９０ＭＨｚ帯バンドパスフィルタ２０７に分配する。
１３０ＭＨｚ帯バンドパスフィルタ２０３に入力されたＩＦ信号は、１３０ＭＨｚ帯の変調波のみが抽出され、ミキサ２０４に入力される。ミキサ２０４では、１６０ＭＨｚ電圧可変発振器２１６の信号により、３０ＭＨｚ帯域にダウンコンバートされる。ミキサ２０５では、２．３ＧＨｚ帯ＰＬＬ２１４で生成される信号と合成される。２．３ＧＨｚ帯ＰＬＬ２１４では１００ＭＨｚ温度補正付発振器２２１を源信とし、制御部２１３から設定される分周比に基づき、ミキサ２０５の出力が２．３ＧＨｚとなる信号を生成する。
ミキサ２０５から出力された信号は、増幅器（１）２０６で増幅され、図示していない送信アンテナを介して図示していない映像受信装置に向けて無線送信される。
１９０ＭＨｚ帯バンドパスフィルタ２０７に入力されたＩＦ信号は、１９０ＭＨｚ帯の変調波のみが抽出され、ミキサ２０８に入力される。ミキサ２０８では、１６０ＭＨｚ電圧可変発振器２１６の信号により、３０ＭＨｚ帯域にダウンコンバートされる。ミキサ２０９では、２．３ＧＨｚ帯ＰＬＬ２１４で生成される信号と合成される。２．３ＧＨｚ帯ＰＬＬ２１４では１００ＭＨｚ温度補正付発振器２２１を源信とし、制御部２１３から設定される分周比に基づき、ミキサ２０９の出力が２．３ＧＨｚとなる信号を生成する。
ミキサ２０８から出力された信号は、増幅器（１）２１０で増幅され、図示していない送信アンテナを介して図示していない映像受信装置に向けて無線送信される。
【００４０】
制御部２１３では、制御通信モデム２１２から定期的に受信する制御部１０２からの２００回分の周波数カウンタ値をメモリ２１９に保存し、受信バイト数をメモリ２１９に同時に記録する。制御部２１３では、タイマ２１８に対し１００μｓ毎の割り込み信号を発生させる設定を行う。制御部２１３では、タイマ２１８の割り込み信号をトリガに、周波数カウンタ２１７を読み出し、メモリ２１９に保存する。メモリ２１９の周波数カウンタを保存する領域は、１回毎に保存アドレスを更新するリングバッファ形式で、２００回分の周波数カウンタ値を保存する。
【００４１】
タイマ１１２とタイマ２１８はそれぞれ１００μｓに設定されているが、誤差があり周期性が一致していない。メモリ２１９に保存した受信バイト数をタイマ２１８の割り込み毎に１減算し、周波数カウンタ２１７の読み出しを２００回行う毎に減算された受信バイト数の値を記録し、前回記録された受信バイト数と比較し、タイマ１１２に対するタイマ２１８の誤差を検出する。タイマ２１８は、制御部２１３によりタイマ２１８の誤差が無くなるように調整する。タイマ１１２とタイマ２１８の誤差を補正し周期性が一致することで、制御部２１３が受信した２００回分の周波数カウンタ値と、２００回分の周波数カウンタ２１７の読み出し値の周期性が一致する。
【００４２】
タイマ１１２とタイマ２１８の周期が一致したのち、制御部２１３が受信した２００回分の周波数カウンタ値と２００回分の周波数カウンタ２０７の値の要素ごとの差分を算出し、差分の変化量を算出する。差分の変化量の算出は、タイマ２１８により制御部２１３が２００回分の周波数カウンタ値を読み出すごとに行う。差分の変化量は後述する条件回数だけ積算を行い、オフセットとしてＶＣＯ制御用ＤＡコンバータ２２０の中心電圧値に加算し電圧を可変させ、１６０ＭＨｚ電圧可変発振器２１６の電圧を調整し、差分の変化量の積算値をクリアする。
【００４３】
積算する回数は、周波数偏差による許容範囲の周波数をＸ（Ｈｚ）、サンプリング周期をｎ（ｓｅｃ）、サンプリング回数をｚ(回)とした場合、以下の公式で算出される。
積算回数Ｎ＝（１／Ｘ（Ｈｚ））／（ｎ＊ｚ）
例えば、１６０ＭＨｚの周波数偏差の許容範囲を１ｐｐｍ以下とした場合、許容範囲の周波数は±１．６Ｈｚ、サンプリング周期を１００μｓ、サンプリング回数を２００回とした場合の積算回数は、以下の通りとなる。
積算回数Ｎ＝（１／１．６）／（（１＊１０^−７）＊２００）＝３１．２５回
周波数偏差を１ｐｐｍ以下とするためには、上記計算により算出された回数以上の差分の変化量の積算を行うことで確保することができる。
【００４４】
なお、上述した実施例では、映像伝送装置として映像送信装置を例にして説明したが、上記した動作とは逆の動作で復調処理を行うようにすることにより、映像受信装置にも適用することができる。
【００４５】
以上説明したように、本発明の実施形態２に係る映像伝送装置によれば、無線伝送方式としてＭＩＭＯ方式を採用し、制御部と高周波部との２ピースで構成された映像伝送装置を提供することができる。
【００４６】
また、高周波部の基準周波数を制御部の基準周波数に同期させることができ、系統毎の周波数偏差をなくすことでＭＩＭＯ伝送の伝送品質を向上させることが可能な映像伝送装置を提供することができる。
【００４７】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。
【産業上の利用可能性】
【００４８】
本発明は、映像データの入出力とデジタル変復調を行う制御部と、デジタル変調された電波の送受信を行う高周波部との２ピースで構成され、放送用デジタル映像のデータ伝送を行うＦＰＵ（Field  Pick-up  Unit）を製造するメーカで利用される。
【符号の説明】
【００４９】
１０：送信制御部、２０：送信高周波部、１００：送信制御部、１０１：ＭＩＭＯ変調器、１０２：制御部、１０３：ミキサ、１０４：１３０ＭＨｚ帯バンドパスフィルタ、１０５：ミキサ、１０６：１９０ＭＨｚ帯バンドパスフィルタ、１０７：合成器、１０８：合成器、１０９：フィルタ、１１０：制御通信モデム、１１１：１６０ＭＨｚ発振器、１１２：タイマ、１１３：メモリ、２００：送信高周波部、２０１：分配器、２０２：分配器、２０３：１３０ＭＨｚ帯バンドパスフィルタ、２０４：ミキサ、２０５：ミキサ、２０６：増幅器（１）、２０７：１９０ＭＨｚ帯バンドパスフィルタ、２０８：ミキサ、２０９：ミキサ、２１０：増幅器（２）、２１１：フィルタ、２１２：制御通信モデム、２１３：制御部、２１４：２．３ＧＨｚ帯ＰＬＬ、２１４Ａ：２．３ＧＨｚ帯ＰＬＬ（１）、２１４Ｂ：２．３ＧＨｚ帯ＰＬＬ（２）、２１５：１００ＭＨｚ発振器、２１６：１６０ＭＨｚ電圧可変発振器、２１７：周波数カウンタ、２１８：タイマ、２１９：メモリ、２２０：ＶＣＯ制御用ＤＡコンバータ、２２１：１００ＭＨｚ温度補正付発振器。
【図１】
2017050614.tif 000003
【図２】
2017050614.tif 000004
【図３】
2017050614.tif 000005